【事件の表示】
　平成１１年特許願第　　４６０２号「リード・ソロモン復号器及び誤り訂正方法」拒絶査定不服審判事件〔平成１２年　７月２８日出願公開、特開２０００−２０９１０１〕について、次のとおり審決する。
【結　論】
　本件審判の請求は、成り立たない。
【理　由】
１．手続の経緯
　本願は、平成１１年１月１１日の出願であって、平成１４年２月２２日付けで拒絶査定がなされ、これに対し、平成１４年３月２７日に拒絶査定に対する審判請求がなされるとともに平成１４年４月４日付けで手続補正がなされたものである。
 　　
２．平成１４年４月４日付けの手続補正について
［結論］
　　平成１４年４月４日付けの手続補正を却下する。
　
［理由］
（１）補正の適否
　本件補正は、例えば、特許請求の範囲の請求項７を、
　「【請求項７】前記Λ・Ω商ＲＯＭは、前記パラレルシンドローム情報をアドレスに見立て、予め計算しメモリに格納されていた前記誤り位置多項式情報及び／または前記誤り評価多項式情報を出力するように構成されていることを特徴とする請求項５に記載のリード・ソロモン復号器。」
と補正することを含むものである。
　しかしながら、補正前の請求項７は、請求項６を引用しており、補正後の請求項７は、請求項５を引用しているので、補正後の請求項７は、請求項６に記載された発明に特定すべき事項である「【請求項６】　前記シンボルＳ／Ｐ変換回路は、前記シンドローム計算回路からシリアルで出力されてくる３２シンボル構成の前記シンドローム情報を、前記シンボルＳ／Ｐ変換回路により所定シンボル数のパラレルシンドローム情報に変換するように構成されていることを特徴とする請求項５に記載のリード・ソロモン復号器。」が削除されており、上記補正は、特許法１７条の２第４項第１号ないし第４号のいずれの目的にも適合しない。
　
（２）むすび
　以上のとおり、本件補正は、特許法第１７条の２第４項第１号ないし第４号の規定のいずれにも適合しないから、特許法第１５９条第１項で準用する特許法第５３条第１項の規定により却下されるべきものである。
　
３．本願発明について
（１）本願発明
　平成１４年４月４日付けの手続補正は上記のとおり却下されたので、本願の請求項１に係る発明（以下、「本願発明」という。）は、平成１４年１月２５日付け手続補正書の特許請求の範囲の請求項１に記載された事項により特定される、以下のとおりのものである。
　
　「【請求項１】　ガロア体ＧＦを使用するリード・ソロモン復号器において、
符号化データのシンドローム情報を計算するシンドローム計算回路と、
　前記シンドローム情報からユークリッド・アルゴリズムによる誤り位置多項式情報及び／または誤り評価多項式情報を計算するΛ・Ω計算回路と、
　前記誤り位置多項式情報から誤り位置の情報を計算する誤り位置計算回路と、
　前記誤り位置多項式情報と前記誤り評価多項式情報とから誤り量の情報を計算する誤り量計算回路と、
　前記符号化データ情報と前記誤り位置情報と前記誤り量情報とから訂正情報を出力する受信符号語修正回路と、
　前記シンドローム計算回路により算出された前記シンドローム情報に対して３２次多項式割り算を実行して商計算入力分母情報及び／または商計算入力分子情報を生成する誤り評価多項式計算回路と、
　ユークリッド・アルゴリズムで使用する商の計算を予め格納するとともに、ユークリッド・アルゴリズムにおける割り算を実行する際に当該割り算の実行に代えて当該割り算に応じた商を前記格納された商の中から選択して出力するとともに、前記ユークリッド・アルゴリズムで使用する商の計算を予め格納する際、前記商計算入力分母情報及び前記商計算入力分子情報をアドレスに見立て、当該アドレスに対して予め計算された商のデータを格納する商ＲＯＭとを有することを特徴とするリード・ソロモン復号器。」
　
（２）引用例に記載された発明
　原審の拒絶の理由に引用された特開平１０−１３５８４６号公報（以下、「引用例１」という。）には、以下の事項が記載されている。
イ）「【請求項１】　ｔ重誤り訂正リードソロモン符号よりなる受信多項式Ｙ(z) からシンドローム多項式Ｓ(z) を求めるための第１のユニットと、
　ユークリッド互除演算によって前記シンドローム多項式Ｓ(z) から誤り位置多項式σ(z) と誤り評価多項式ω(z) とを求め、かつｋ（ｋ≦ｔ）個の誤り評価値を対応する誤り位置多項式微分値で除算することによってｋ個の誤りの値ｅu を求めるための第２のユニットと、
　チェン探索によって前記誤り位置多項式σ(z) のｋ個の根α-ju を求め、かつ前記誤り評価多項式ω(z) に前記ｋ個の根α-ju をそれぞれ代入して得られる誤り評価値と、前記誤り位置多項式σ(z) の導関数に前記ｋ個の根α-ju をそれぞれ代入して得られる誤り位置多項式微分値とを前記第２のユニットへ供給するための第３のユニットと、
　前記ｋ個の根α-ju からｋ個の誤り位置を求め、かつ前記受信多項式Ｙ(z) の中の対応位置から前記ｋ個の誤りの値ｅu のうちの対応する誤りの値をそれぞれ差し引くことによって、誤り訂正された多項式Ｗ(z) を求めるための第４のユニットとを備え、
　前記第１のユニットは１つのパケットサイクルに対応する第１のパイプラインステージを、前記第２及び第３のユニットは次のパケットサイクルに対応する第２のパイプラインステージを、前記第４のユニットは更に次のパケットサイクルに対応する第３のパイプラインステージをそれぞれ構成することを特徴とするリードソロモン復号器。」（第２頁第１欄第２行〜第２８行）
　　
ロ）「【０００２】
【従来の技術】各種大容量記憶装置の記憶情報、高速通信の伝送情報等において、多重誤り訂正を可能とする符号としてリードソロモン符号が広く使用されている。
【０００３】リードソロモン符号は、原始多項式をＷ(z) とし、Ｗ(z) ＝０の根をαとするとき、この根αを原始元とするガロア体（Galois field）の上の符号であって、ブロック誤り訂正符号の１つである。ここで、αをガロア体ＧＦ（２m ）の原始元とし、α，α2 ，…，α2tを根とする符号長ｎ＝２m −１のリードソロモン符号を考える。この符号によれば、ｍビットが１処理単位すなわち１シンボルとされる。原情報の量はｎ−２ｔシンボルである。以下の説明ではｍ＝８とし、１シンボルが８ビットすなわち１バイトで表わされるものとする。１パケットの受信語は、ｎ個のシンボルからなる。ｔ＝８の場合には８シンボルの誤り訂正が可能である。
【０００４】リードソロモン符号の復号は、次のステップ(i) 〜(vi)による。ただし、ステップ(iii) 〜(v) において不合理な結果を生じる場合には、訂正不可能な誤りが生じたと判定する。
【０００５】
　(i) 受信語中の各シンボルを係数とする受信多項式Ｙ(z) から、
　　ｓi ＝Ｙ (αi ) 　　　　　　　　　　　　　　　　　…（１）
により、２ｔ個のシンドローム（syndrome）、すなわちｓ1 ，ｓ2 ，…，ｓ2tを計算する。各シンドロームｓi はガロア体ＧＦ（２m ）の元である。シンドローム多項式Ｓ(z) は、
　　Ｓ(z) ＝ｓ1 ＋ｓ2 ｚ＋…＋ｓ2tｚ2t-1　　　　　　　…（２）
で定義される。
【０００６】
　(ii)　シンドロームが全て零であれば、誤りなしと判定する。
【０００７】
　(iii) シンドローム中に非零のものがあれば、シンドローム多項式Ｓ(z) から、誤り位置多項式（error locator polynomial）σ(z) と、誤り評価多項式（error evaluator polynomial）ω(z) とを求める。具体的には、φ(z) を多項式とするとき、
　　φ(z) ｚ2t＋σ(z) Ｓ(z) ＝ω(z) 　　　　　　　　　…（３）
　　σ(0) ＝１　　　　　　　　　　　　　　　　　　　　…（４）
を満たし、かつ互いに素であるｔ次以下の多項式σ(z) と、ｔ−１次以下の多項式ω(z) とを求める。
【０００８】
　(iv)　σ(z) ＝０のｋ（ｋ≦ｔ）個の根α-ju （ｊu ＝ｊ1 ，ｊ2 ，…，ｊk ）を求める。ここに、ｋは誤り位置多項式σ(z) の次数であって、誤りの個数を表わしている。σ(z) にα-i（ｉ＝０，１，…，ｎ）を個々に代入し、σ (α-i) が零かどうかを調べる方法を採用すれば、全ての根を探索できる。この方法はチェン探索（Chien search）と呼ばれる。なお、ｋ個の根α-ju の各々は、いわゆる誤りロケータ（error locator ）の逆数である。
【０００９】
　(v) 誤り位置多項式σ(z) の導関数すなわちσ'(z)を求め、
　　ｅu ＝−ω (α-ju ) ／σ'(α-ju ) 　　　　　　　　…（５）
から、誤りの値ｅ1 ，ｅ2 ，…，ｅk を求める。ここに、ω (α-ju ) を誤り評価値といい、σ'(α-ju ) を誤り位置多項式微分値という。
【００１０】
　(vi)　ｋ個の根α-j1 ，α-j2 ，…，α-jk から誤りの位置ｊ1 ，ｊ2 ，…，ｊk を求め、受信語中のこれらの位置のシンボルからそれぞれ誤りの値ｅ1 ，ｅ2 ，…，ｅk を差し引くことによって、受信語中の誤りを訂正する。
【００１１】
　上記ステップ(iii) において誤り位置多項式σ(z) と誤り評価多項式ω(z) とを求める方法の１つとして、ユークリッド法（Euclid's algorithm）が知られている。ユークリッド法は、ｚ2tとＳ(z) との最大公約多項式をユークリッド互除演算で算出することによって、σ(z) とω(z) とを求めるものである。」（第２頁第２欄第２８行〜第３頁第４欄第２４行）
　
ハ）「【００２２】
　　【発明の実施の形態】
　
　図１は、本発明に係るリードソロモン復号器の構成を示している。図１のリードソロモン復号器は、シンドローム計算ユニット１０１と、ユークリッド互除演算及び誤り値計算ユニット１０２と、チェン探索ユニット１０３と、データ遅延用ＲＡＭ１０４と、誤り訂正ユニット１０５とを備えたものである。シンドローム計算ユニット１０１は、ｔ重誤り訂正リードソロモン符号よりなる受信多項式Ｙ(z) から、式（２）で定義されるシンドローム多項式Ｓ(z) を求める。具体的には、受信多項式Ｙ(z) は受信語中の各シンボルを係数とする多項式である。この受信多項式Ｙ(z) から、式（１）により２ｔ個のシンドローム、すなわちｓ1 ，ｓ2 ，…，ｓ2tが計算される。２ｔ個のシンドロームが全て零であれば、誤りなしとの判定を誤り訂正ユニット１０５が下す。ユークリッド互除演算及び誤り値計算ユニット１０２は、ユークリッド互除演算の改良されたアルゴリズムに従って、シンドローム多項式Ｓ(z) から誤り位置多項式σ(z) と誤り評価多項式ω(z) とを求める。具体的には、式（３）及び（４）を満たし、かつ互いに素であるｔ次以下の多項式σ(z) と、ｔ−１次以下の多項式ω(z) とを求める。このユニット１０２は、チェン探索ユニット１０３から各々ｋ（ｋ≦ｔ）個の誤り評価値ω (α-ju ) と誤り位置多項式微分値σ'(α-ju ) との供給を受け、式（５）によりｋ個の誤りの値ｅu 、すなわちｅ1 ，ｅ2 ，…，ｅk を求める機能をも有する。チェン探索ユニット１０３は、σ(z) ＝０のｋ個の根α-ju （ｊu ＝ｊ1 ，ｊ2 ，…，ｊk ）を求め、該求めたｋ個の根α-ju を誤り訂正ユニット１０５へ供給する。このユニット１０３は、誤り評価多項式ω(z) に該ｋ個の根α-juをそれぞれ代入して得られる誤り評価値ω (α-ju ) と、誤り位置多項式σ(z) の導関数σ'(z)に該ｋ個の根α-ju をそれぞれ代入して得られる誤り位置多項式微分値σ'(α-ju ) とをユークリッド互除演算及び誤り値計算ユニット１０２へ供給する機能をも有する。データ遅延用ＲＡＭ１０４は、受信多項式Ｙ(z) を２パケットサイクルだけ遅延させるものである。誤り訂正ユニット１０５は、チェン探索ユニット１０３から供給されたｋ個の根α-ju に基づいて誤りの位置ｊ1 ，ｊ2 ，…，ｊk を求め、データ遅延用ＲＡＭ１０４から供給された受信多項式Ｙ(z) の中のこれらの位置のシンボルからそれぞれ誤りの値ｅ1 ，ｅ2 ，…，ｅk を差し引くことによって受信語中の誤りを訂正し、かつその結果である誤り訂正された多項式Ｗ(z) を出力する。」（第４頁第６欄第３６行〜第５頁第７欄第２９行）
　
　以上の記載及び図１を総合すると、引用例には、「ガロア体ＧＦを使用するリードソロモン復号器において、
ｔ重誤り訂正リードソロモン符号よりなる受信多項式のシンドローム多項式を計算するシンドローム計算ユニットと、
　前記シンドローム多項式からユークリッド互除演算による誤り位置多項式及び誤り評価多項式を計算するユークリッド互除演算及び誤り値計算ユニットと、
　前記誤り位置多項式から誤り位置を求め、
　前記誤り位置多項式と前記誤り評価多項式とから誤りの値を計算し、
　前記受信多項式と前記誤り位置と前記誤りの値とから誤り訂正された多項式を求める誤り訂正ユニットと、
　前記シンドローム計算ユニットにより算出された前記シンドローム多項式に対して、ユークリッド互除演算を行うリードソロモン復号器」の発明（以下、「引用例に記載された発明」という。）が記載されている。
　
　例えば、特開昭６２−６９７２８号公報（以下、「周知例１」という。）には、以下の事項が記載されている。
　
イ）「実施例
　第１図は本発明の一実施例による復号化処理回路の概略構成を示すものであって、１２は符号化コード１からシンドロームを計算するシンドローム計算回路、１３はシンドロームから誤りの位置を計算する誤り位置計算回路、１４はシンドロームと誤り位置情報とから誤りの大きさを計算する誤り大きさ計算回路、１５は符号化コード１と誤り位置情報と誤り大きさ情報とから対応する情報コードを出力して誤りを訂正する回路、１６は誤り位置計算回路１３と誤り大きさ計算回路１４のどちらかが乗算器１７を使用するのかを切り換えるセレクタ、１８は除算処理の際に逆元を出力するＲＯＭ、１９は乗算処理と除算処理によって乗算器の入力を切り換えるセレクタである。
　以上のように構成された誤り訂正回路について、以下その動作を説明する。情報記憶装置等によって誤りの生じた符号化コード１が入力されると、シンドローム計算回路１２によって、生じた誤りに依存したシンドローム情報が算出され、このシンドローム情報を基にして以下の復号化処理が行われることになる。次に、算出されたシンドローム情報のみから誤り位置計算回路１３によって誤っている位置を表わす情報が算出され、誤り大きさ計算回路１４へ入力される。この誤り大きさ計算回路１４ではシンドローム情報と誤り位置情報とから誤りの大きさを表わす情報が算出される。この誤り位置計算回路１３及び誤り大きさ計算回路１４で行なわれる演算処理には、ガロア体上（ＧＦ（２ｎ）上）の元の加算処理、乗算処理、除算処理が必要となるが、加算処理については非常に容易な回路で実現されるために誤り位置計算回路１３と誤り大きさ計算回路１４の双方に加算回路を内蔵している。乗算処理及び除算処理を行なうために、セレクタ１６、１９、逆元ＲＯＭ１８、乗算器１７が必要となる。乗算処理の場合は、誤り位置計算回路１３及び誤り大きさ計算回路１４から出力された情報はセレクタ１６，セレクタ１９を通過してそのまま乗算器１３に入力され乗算処理が行なわれ、その結果が誤り位置計算回路１３及び誤り大きさ計算回路１４にもどされてくる。除算処理の場合は逆元の乗算という形で実現され、誤り位置計算回路１３及び誤り計算回路１４から出力された情報はセレクタ１６を通過したのち逆元ＲＯＭ１８に入力され、その出力が乗算器１７に入力されることによって除算処理が行なわれる。誤り大きさ計算回路１４の処理は誤り位置計算回路１３の処理が終了してから行なわれるものなので、セレクタ１６、１９、逆元ＲＯＭ１８、乗算器１７を誤り位置計算回路１３と誤り大きさ計算回路１４とが同時に使用するという状態は起こらない。以上の処理によって誤り位置情報と誤り大きさ情報が算出され訂正回路１５に入力されると、符号化コード１の誤りは誤り位置情報と誤り大きさ情報を基にして訂正され情報コードとして出力される。」（第２頁右上欄第１８行〜第３頁左上欄第１２行）
　
　上記周知例１によれば、「誤り位置計算回路や誤り大きさ計算回路における多項式除算を行うのに、逆元ＲＯＭと乗算手段を用いて行う」ことは周知である。
　
　例えば、特開平５−２４４０１６号公報（以下、「周知例２」という。）には、次の事項が記載されている。
　
イ）「【請求項１】　一連のデータ列をｎ次（ｎは正の整数）の多項式ｆ（ｘ）で表わし、該多項式ｆ（ｘ）をｍ次（ｍは正の整数）の基本式Ｐ（ｘ）で除算した剰余ｒ（ｘ）をＣＲＣ符号として生成するＣＲＣ計算回路において、前記多項式ｆ（ｘ）の上位ｋ項（ｋはｋ＜ｎの正の整数）が取り得る全ての式を前記基本式Ｐ（ｘ）で除算した各剰余が記録されたメモリと、前記多項式ｆ（ｘ）の上位ｋ項に付加された各係数に基づいて前記メモリのアドレスを指定し対応する剰余を読み出すアクセス手段と、このアクセス手段で読み出された剰余を前記多項式ｆ（ｘ）の上位ｋ項を除く下位項に加算する加算手段とを具備してなることを特徴とするＣＲＣ計算回路。」（第２頁第１欄第２行〜第１４行）
　
　例えば、特開平１０−２１５１８７号公報（以下、「周知例３」という。）には、次の事項が記載されている。
　
イ）「【００２７】ブロック演算手段３−１，３−２内でのメモリ２２の構成例を、図４，５を用いて説明する。図４は、ｘ20からｘ23までの次数を持つ符号多項式を生成多項式Ｇ(x) で除算した演算結果（剰余）の記憶状態を表示し、図５は、ｘ16からｘ19までの次数を持つ符号多項式を生成多項式Ｇ(x) で除算した演算結果（剰余）の記憶状態を表示したものである。各メモリ２２では、符号多項式の係数ビットをアドレスとし、このアドレスに対応して、該当する符号多項式をＧ(x) で除算した演算結果（剰余）が保持されている。」（第８頁第１３欄第３５行〜第４４行）
　
　周知例２、３によれば、「多項式を多項式で割る除算の剰余を求めるのに、剰余が記録されたメモリを係数に基づいたアドレスで読み出すことにより、剰余を出力する」ことが周知である。
　
（３）対比・判断
　本願発明と引用例に記載された発明を比較する。
　引用例に記載された発明の「リードソロモン復号器」は、本願発明の「リード・ソロモン復号器」に相当する。
　引用例に記載された発明の「ｔ重誤り訂正リードソロモン符号よりなる受信多項式」は、誤り訂正符号化されたデータであるから、本願発明の「符号化データ」に相当する。
　引用例に記載された発明の「シンドローム多項式」は、情報であるから、本願発明の「シンドローム情報」に相当する。
　引用例に記載された発明の「シンドローム計算ユニット」は、回路により構成されるから、「シンドローム計算回路」に相当する。
　引用例に記載された発明の「ユークリッド互除演算」は、ユークリッドアルゴリズムであるから、本願発明の「ユークリッド・アルゴリズム」に相当する。
　引用例に記載された発明の「誤り位置多項式」、「誤り評価多項式」は、共に情報であるから、「誤り位置多項式情報」、「誤り評価多項式情報」に相当する。
　引用例に記載された発明の「ユークリッド互除演算及び誤り値計算ユニット」は、誤り位置多項式と誤り評価多項式を計算するものであり、回路で構成されているから、本願発明の「Λ・Ω計算回路」に相当する。
　引用例に記載された発明の「誤り位置」は、情報であるから、本願発明の「誤り位置の情報」に相当し、引用例に記載された発明の「誤り位置多項式から誤り位置を求め」ることは、本願発明の「誤り位置多項式情報から誤り位置の情報を計算する」に相当する。
　引用例に記載された発明の「誤りの値」は、本願発明の「誤り量の情報」に相当し、引用例に記載された発明の「誤り位置多項式と誤り評価多項式とから誤りの値を計算し」は、本願発明の「誤り位置多項式情報と誤り評価多項式とから誤り量の情報を計算する」に相当する。
　引用例に記載された発明の「誤り訂正された多項式」は、情報であるから、本願発明の「訂正情報」に相当し、引用例に記載された発明の「誤り訂正ユニット」は、受信した符号語の修正をおこなっており、回路で動作するから、本願発明の「受信符号語修正回路」に相当する。引用例に記載された発明の「受信多項式と誤り位置と誤りの値とから誤り訂正された多項式を求める誤り訂正ユニット」は、本願発明の「符号化データ情報と誤り位置情報と誤り量情報とから訂正情報を出力する受信符号語修正回路」に相当する。
　
　そうすると、本願発明と引用例に記載された発明とは、
　「ガロア体ＧＦを使用するリード・ソロモン復号器において、
符号化データのシンドローム情報を計算するシンドローム計算回路と、
　前記シンドローム情報からユークリッド・アルゴリズムによる誤り位置多項式情報及び誤り評価多項式情報を計算するΛ・Ω計算回路と、
　前記誤り位置多項式情報から誤り位置の情報を計算し、
　前記誤り位置多項式情報と前記誤り評価多項式情報とから誤り量の情報を計算し、
　前記符号化データ情報と前記誤り位置情報と前記誤り量情報とから訂正情報を出力する受信符号語修正回路を有するリード・ソロモン復号器」の点で、一致し、以下の点で、相違する。
　
相違点ａ．
　本願発明では、誤りの位置の情報を計算するのに、「誤り位置計算回路」を用い、誤り量の情報を計算するのに、「誤り量計算回路」を用いているのに対して、引用例に記載された発明では、誤り位置の情報を計算したり、誤り量を計算するとはあるが、回路によって行っているかどうか不明な点。
相違点ｂ．
　本願発明では、リード・ソロモン復号器が、「前記シンドローム計算回路により算出された前記シンドローム情報に対して３２次多項式割り算を実行して商計算入力分母情報及び／または商計算入力分子情報を生成する誤り評価多項式計算回路と、ユークリッド・アルゴリズムで使用する商の計算を予め格納するとともに、ユークリッド・アルゴリズムにおける割り算を実行する際に当該割り算の実行に代えて当該割り算に応じた商を前記格納された商の中から選択して出力するとともに、前記ユークリッド・アルゴリズムで使用する商の計算を予め格納する際、前記商計算入力分母情報及び前記商計算入力分子情報をアドレスに見立て、当該アドレスに対して予め計算された商のデータを格納する商ＲＯＭ」を有しているのに対して、引用例には、それいについての記載がない点。
　
　上記相違点について、検討する。
相違点ａ．について。
　誤りの位置の情報を計算したり、誤り量の情報を計算するのに、回路を用いて行うことは、常套手段であるから、引用例に記載された発明において、誤り位置計算回路や誤り量計算回路を用いて、誤りの位置の情報を計算し、誤り量の情報を計算することは、当業者が容易になし得ることと認められる。
　
相違点ｂ．について。　
　引用例において、シンドローム多項式から、誤り位置多項式及び誤り評価多項式を計算する時、ユークリッド互除演算を行うが、ユークリッド互除演算は、引用例について摘記した３（２）ロ）に記載されているように、Ｚ２ｔとシンドローム多項式Ｓ（ｚ）の最大公約多項式を求めることで、最大公約数を求めるのに、商、剰余を計算しており、該計算をするには、商計算の分母、分子が必要となるから、引用例に記載された発明において、商計算入力分母情報と商計算入力分子情報を生成し、それを何らかの回路で実現することは、明らかである。さらに、周知例１に示される周知技術である「誤り位置計算回路や誤り大きさ計算回路における多項式除算を行うのに、逆元ＲＯＭと乗算手段を用いて行う」こと、周知例２、３に示される周知技術である「多項式を多項式で割る除算の剰余を求めるのに、剰余が記録されたメモリを係数に基づいたアドレスで読み出すことにより、剰余を出力する」ことを考慮すると、引用例に記載された発明において、ユークリッド互除法を用いた除算を行うのに、割り算の実行に替えて、商計算の入力分母情報、入力分子情報をアドレスに見立て、アドレスに対して予め計算された商を、格納したメモリを有し、メモリから選択して、出力することは、当業者が容易になし得ることと認められる。
　その際、メモリをＲＯＭで構成すること、データの大きさに応じて、多項式割り算を３２次ですることは、当業者が適宜なし得ることに過ぎない。
　そして、本願発明の作用効果も、引用例に記載された発明、及び、周知例１〜３で示される周知技術から当業者が予測できる範囲のものである。
　
（４）むすび
　以上のとおり、本願発明は、引用例に記載された発明、及び、周知例１〜３で示される周知技術に基いて、当業者が容易に発明をすることができたものであるから、特許法第２９条第２項の規定により特許を受けることができない。
　
　よって、結論のとおり審決する。